(57)【要約】【課題】選択されたメガネフレームの玉型形状等が眼鏡レンズの処方値を求めるのに有効に利用できる自覚式検眼装置を提供すること。【解決手段】自覚式検眼装置１は、玉型形状測定装置１２で測定されたメガネの玉型形状の測定データを受信する受信手段を備えている。しかも、前記コントローラ８は受信手段で受信された測定データに基づく玉型の形状（レンズ枠形状、レンズ形状、レンズ断面形状等）を表示部（液晶表示器８ｂ）に表示させるようになっている。【選択図】図２
2008272029.tif 000002
【特許請求の範囲】
【請求項１】
検眼ユニット及び視標呈示装置を操作するコントローラの操作内容を画像表示させる表示部を有する自覚式検眼装置であって、
前記コントローラは、玉型形状測定装置で測定されたメガネの玉型形状の測定データを受信する受信手段を備えると共に、前記受信手段で受信された測定データに基づく玉型の形状を前記表示部に表示させることを特徴とする自覚式検眼装置。
【請求項２】
請求項１に記載の自覚式検眼装置において、前記コントローラは、屈折度数に基づく眼鏡レンズの厚さ形状データが記録されている情報記録再生手段から、複数種類の屈折度数の前記眼鏡レンズの厚さ形状データを読み出して、この読み出した前記眼鏡レンズの厚さ形状データに基づいて前記眼鏡レンズの断面形状を前記表示部に表示させることを特徴とする自覚式検眼装置。
【請求項３】
請求項２に記載の自覚式検眼装置において、前記コントローラは、前記眼鏡レンズの光軸と平行で径の異なる複数の半径位置線又は直径位置線を前記眼鏡レンズの断面形状に重ねて前記表示部に表示させることを特徴とする自覚式検眼装置。
【請求項４】
請求項３に記載の自覚式検眼装置において、前記測定データは前記メガネの左右の玉型形状データ及び該玉型形状データに基づく左右の玉型形状の幾何学中心間距離であると共に、
前記コントローラは、前記左右の検眼ユニットの距離から被検者の瞳孔中心間距離を求めて、この瞳孔中心間距離と前記幾何学中心間距離から前記玉型形状の幾何学中心に対する光軸位置を求めて、この求めた光軸位置から前記玉型形状の任意の縁部を前記眼鏡レンズの断面形状に重ねて表示部に表示させることを特徴とする自覚式検眼装置。
【請求項５】
請求項４に記載の自覚式検眼装置において、前記縁部の表示は、同時に厚み情報としても前記表示部に表示させることを特徴とする自覚式検眼装置。
【発明の詳細な説明】
【技術分野】
【０００１】
この発明は、被検眼の視力値等を測定する自覚式検眼装置に関するものである。
【背景技術】
【０００２】
従来の自覚式検眼装置では、視標表示装置に表示される視標の大きさを順次かえて、この視標を被検者に左右の検眼ユニットの検眼窓を介して視認させ、この視標が確認できるか否かを検者が被検者に問い合わせることで、視力値を求めるようになっている（例えば、特許文献１参照）。
【０００３】
また、一般に、眼鏡店で新たにメガネを作る場合、通常は先ず展示されている多数のメガネフレームから好みのものを選択するか、又はカタログを用いて好みのメガネフレームを選択した後、オートレフラクトメータや自覚式検眼装置で視力検査をし、この視力値に基づく眼鏡レンズの処方値を求めることが多い。
【特許文献１】特開２００７−６１３８０号公報
【発明の開示】
【発明が解決しようとする課題】
【０００４】
しかしながら、従来は、選択されたメガネフレームの玉型形状等が眼鏡レンズの処方値を求めるのに有効に利用されていなかった。
【０００５】
そこで、この発明は、選択されたメガネフレームの玉型形状等が眼鏡レンズの処方値を求めるのに有効に利用できる自覚式検眼装置を提供することを目的とするものである。
【課題を解決するための手段】
【０００６】
この目的を達成するため、この発明は、検眼ユニット及び視標呈示装置を操作するコントローラの操作内容を画像表示させる表示部を有する自覚式検眼装置であって、前記コントローラは、玉型形状測定装置で測定されたメガネの玉型形状の測定データを受信する受信手段を備えると共に、前記受信手段で受信された測定データに基づく玉型の形状を前記表示部に表示させる自覚式検眼装置としたことを特徴とする。
【発明の効果】
【０００７】
この構成によれば、選択されたメガネフレームの玉型形状等は眼鏡レンズの処方値を求めるのに有効に利用できる。
【発明を実施するための最良の形態】
【０００８】
以下、この発明の実施の形態を図面に基づいて説明する。
[構成]
図１において、１は自覚式検眼装置、２は自覚式検眼装置１の検眼テーブル、３は検眼テーブル２の側部に設けられた支柱である。この支柱３は、上下に延び且つ上下に延びる軸線周りに回動可能に検眼テーブル２に取り付けられていると共に、上下動可能に検眼テーブル２に取り付けられている。この構成には周知の構成が採用できるので、その詳細な説明は省略する。また、４は支柱３に取り付けられた支持アーム、５は支持アーム４に取り付けられた支持部材、６は支持部材４に支持される検眼装置本体である。
【０００９】
この検眼装置本体６は、支持部材５に左右方向に相対接近・離反可能に取り付けられた左右の検眼ユニット６Ｌ，６Ｒを有する。また、この検眼ユニット６Ｌ，６Ｒには検眼窓７Ｌ，７Ｒが設けられている。
【００１０】
この検眼ユニット６Ｌ，６Ｒ内には、検眼窓７Ｌ，７Ｒに選択的に配設して検眼に用いる多数の光学部材（図示せず）が配設されている。この多数の光学部材は図示しない駆動手段で検眼窓７Ｌ，７Ｒに選択的に配設されるようになっている。尚、この構成には周知の構成を採用できるので、その詳細な説明は省略する。
【００１１】
また、自覚式検眼装置１は、検眼テーブル２上に配設されたコントローラ８と、検眼テーブル２から所定距離の位置に配設された視標呈示装置９を有する。このコントローラ８は、画面操作手段としてのキーボード８ａ、及び液晶表示器８ｂを有する。このキーボード８ａ内には図２に示した演算制御回路１０を有するＰＣ基板（図示せず）が配設されている。
【００１２】
この演算制御回路１０には、キーボード８ａ及び液晶表示器（表示部）８ｂが接続されていると共に、視標呈示装置９が接続されている。この視標呈示装置９の表示画面９ａには、画像信号（映像信号）により検眼用の視標を表示させる液晶表示器やプラズマディスプレイ等の表示装置が用いられている。また、この演算制御回路１０には、画面操作手段としてのマウス１１が接続されている。
【００１３】
そして、キーボード８ａやマウス１１の操作により、液晶表示器８ｂや視標呈示装置９に呈示（表示）させる視標を選択できるようになっている。また、キーボード８ａやマウス１１の操作により、検眼ユニット６Ｌ，６Ｒ内の多数の光学部材（図示せず）を図示しない駆動手段で検眼窓７Ｌ，７Ｒに選択的に配設できるようになっている。この構成には、周知の構成を採用できるので、その詳細な説明は省略する。
【００１４】
また、演算制御回路１０の図示しない入出力ポート（受信手段）には玉型形状測定装置１２が接続されている。この玉型形状測定装置１２は、メガネフレームのレンズ枠形状や眼鏡レンズのレンズ形状等の玉型形状、及び左右のレンズ枠の幾何学中心間距離（フレームＰＤ）を測定するようになっている。
【００１５】
そして、この測定により得られたメガネフレームのレンズ枠形状情報（レンズ枠形状データ）や眼鏡レンズのレンズ形状情報（レンズ形状データ）等の玉型形状情報（玉型形状データ）や幾何学中心間距離（フレームＰＤ）ＦＰＤ等の測定情報（測定データ）は、図示しない入出力ポート（受信手段）を介して演算制御回路１０に受信（入力）されるようなっている。
【００１６】
更に、演算制御回路１０には、メモリ１３及び情報・記録再生装置１４が接続されている。この情報・記録再生装置１４には、ハードディスクや光磁気・記録再生装置等が用いられる。尚、この情報・記録再生装置１４には、レンズ度数とレンズの厚さの関係の厚さデータが記録されている。また情報・記録再生装置１４には、レンズ材質とレンズの厚さの関係の厚さデータがレンズ度数に対応して複数記憶されている。これらの厚さデータは、レンズの光学中心（光軸）を通る直径方向の断面形状データとして記憶されている。
[作用]
次に、このような構成の自覚式検眼装置１の作用を説明する。
【００１７】
この自覚式検眼装置１の図示しない電源をＯＮさせると、コントローラ８がＯＮして、演算制御回路１０が制御動作を開始する。
【００１８】
この演算制御回路１０は、動作を開始すると、玉型形状測定装置１２に測定データを要求をし、測定データがない場合、キーボード８ａやマウス１１の操作による通常の検眼制御を開始する。
【００１９】
また、演算制御回路１０が制御動作を開始する直前に測定した測定データが玉型形状測定装置１２にある場合、演算制御回路１０は動作開始時に玉型形状測定装置１２からの測定データを受信して、この測定データをメモリ１３に記憶させると共に情報・記録再生装置１４に記録させる。
【００２０】
次に、検者１５は、被検者１６に検眼ユニット６Ｌ，６Ｒの検眼窓７Ｌ，７Ｒを介して視標表示装置９の表示画面９ａを視認させ、キーボード８ａやマウス１１を操作して視標表示装置９の表示画面９ａに視力値を検査するための視標を呈示させる。この際、視標は被検眼がはっきり見えるまで小さいものから段階的に順に大きくして呈示する。そして、この検査によりはっきり見えた大きさの視標から被検者の左右の被検眼の視力値が得られる。このような視力値の検査は従来と同様である。この後、演算制御回路１０は得られた視力値に基づいて視力矯正のための処方箋を求める。
【００２１】
そして、この処方箋に基づいて、検者１５はキーボード８ａやマウス１１を操作して、検眼ユニット６Ｌ，６Ｒ内の視力値矯正のための多数の光学部材（図示せず）を図示しない駆動手段で検眼窓７Ｌ，７Ｒに選択的に配設して、被検者１６に検眼窓７Ｌ，７Ｒを介して視標表示装置９を視認させ、見え具合を確認する。
【００２２】
この確認で良ければ検査を終了する。この検査の終了は、キーボード８ａに「検査終了」又は「確認」のボタンを設けておいて、このボタンを押したときに、レンズ作成のための最終的なレンズ度数の処方箋が得られる。そして、この処方箋は、メモリ１３に記憶させられると共に情報・記録再生装置１４に記録させられる。
【００２３】
この後、演算制御回路１０は、最終的なレンズ度数の処方箋が得られると、先ず、情報・記録再生装置１４からレンズの厚さデータを読み出して、レンズ屈折率とレンズの厚さの関係を示すレンズ断面形状ａ１，ａ２，ａ３を図３に示したように液晶表示器８ｂに表示させる。
【００２４】
この際、演算制御回路１０は、光軸から半径方向に所定寸法のとき、コバ厚がどの程度相違するか分かるように光軸と平行な半径位置線（又は直径位置線）Ａ１，Ａ２，Ａ３及び目盛り線Ｍｓがレンズ断面形状ａ１，ａ２，ａ３に重ねて表示させる。
【００２５】
一方、演算制御回路１０は、型形状測定装置１２からの測定データを情報・記録再生装置１４から読み出す。この測定データは、メガネフレームのレンズ枠形状情報（レンズ枠形状データ）や眼鏡レンズのレンズ形状情報（レンズ形状データ）等の玉型形状情報（玉型形状データ）と、幾何学中心間距離（フレームＰＤ）ＦＰＤ等の測定情報（測定データ）である。
【００２６】
また、演算制御回路１０は、左右の検眼ユニット６Ｌ，６Ｒの間隔をリニアスケール又はエンコーダ等で検出して、この間隔から被検者１６の左右の被検眼の瞳孔中心間距離ＰＤを求める。この瞳孔中心間距離ＰＤを求める構成には周知の構成が採用できるので、その説明は省略する。
【００２７】
尚、図４は、メガネの左右の玉型形状情報（玉型形状データ）から得られる玉型形状ＭＬ，ＭＲ、玉型形状ＭＬ，ＭＲの幾何学中心ＧＬ，ＧＲと、幾何学中心間距離（フレームＰＤ）ＦＰＤ、被検者１６の左右眼の瞳孔中心ＯＬ，ＯＲ及び被検者１６の瞳孔中心間距離ＰＤ等の関係を示したものである。この瞳孔中心ＯＬ，ＯＲは、左右の眼鏡レンズである玉型形状ＭＬ，ＭＲの光学中心（光軸）となる。
【００２８】
また、図４において、ＶＬＵは瞳孔中心ＯＬから玉型形状ＭＬの上端までの距離、ＶＬＬは瞳孔中心ＯＬから玉型形状ＭＬの下端までの距離である（図５参照）。また、ＨＬＣは瞳孔中心ＯＬから玉型形状ＭＬの鼻側端までの距離、ＨＬＯは瞳孔中心ＯＬから玉型形状ＭＬの外側端（テンプル側端）までの距離である（図７参照）。
【００２９】
同様に、図４において、ＶＲＵは瞳孔中心ＯＲから玉型形状ＭＲの上端までの距離、ＶＲＬは瞳孔中心ＯＲから玉型形状ＭＲの下端までの距離である（図６参照）。また、ＨＲＣは瞳孔中心ＯＲから玉型形状ＭＲの鼻側端までの距離、ＨＲＯは瞳孔中心ＯＲから玉型形状ＭＲの外側端（テンプル側端）までの距離である（図８参照）。
【００３０】
しかも、最終的なレンズ度数の処方値のとき、上述した距離ＶＬＵ，ＶＬＬの部分を通るフレーム縁に相当する線を玉型形状ＭＬの縦方向縁部とし、距離ＨＬＣ，ＨＬＯの部分を通る線を玉型形状ＭＬの横方向縁部として、レンズ断面形状に重ねて液晶表示器８ｂに表示させる。距離ＶＲＵ，ＶＲＬ，ＨＲＣ，ＨＲＯ等を通る線も同様にする。
【００３１】
従って、最終的なレンズ度数の処方値のとき、玉型形状情報に基づくレンズコバ厚を比較でき、検者はこの表示に基づいてコバ厚がどの程度相違するかを液晶表示器８ｂを用いて説明しながら、レンズ度数の最終的な確認作業を行うことができる。
【００３２】
そして、この確認作業において、レンズ度数の処方値を変更することもできる。また、同じレンズ度数で異なるレンズ材質の断面形状を複数同時に液晶表示器８ｂに表示させると共に、上述した距離等の表示を重ねて表示させることで、レンズ材質の相違によるレンズの厚さの相違も眼鏡レンズを加工する前の検眼時に確認することができる。従って、レンズのコバ厚が気になるときには、検眼時にレンズの材質を変更したときのレンズのコバ厚を直ちに確認できる。例えば、普通の屈折率の眼鏡レンズではコバ厚が厚すぎるので、コバ厚を薄くしたい場合、高屈折率の眼鏡レンズに変更したときの厚さがどの程度になるかを確認できる。
（変形例）
また、図９に示したように、コントローラ８の演算制御回路１０は、液晶表示器８ｂ玉型形状測定装置（フレームリーダ）１２で測定され且つ玉型形状測定装置１２から受信したメガネフレームのレンズ枠情報（玉型情報）から、メガネフレームのレンズ枠形状２０Ｌ，２０Ｒを表示させるようになっている。この際、演算制御回路１０は、液晶表示器８ｂのレンズ枠形状２０Ｌ，２０Ｒ（玉型形状の縁部）にカーソル２１Ｌ，２１Ｒを重ねて表示させる。そして、演算制御回路１０は、カーソル２１Ｌ，２１Ｒをレンズ枠形状２０Ｌ，２０Ｒに沿って移動させられると、カーソル２１Ｌ，２１Ｒの位置のレンズ枠の断面の厚さ及びレンズの処方値に基づく断面の厚さを表示させるようになっている。このレンズ枠の断面の厚さ及びレンズの処方値に基づく断面の厚さは液晶表示器８ｂの右側部に表示部８ｂ１に表示される。
【００３３】
尚、レンズ枠の断面の厚さは、レンズ枠形状を測定する際、メガネフレームのレンズ枠を上下から保持する保持棒の間隔をエンコーダ等を用いて測定することで得られる。このデータも、レンズ枠形状情報（玉型形状情報）と共にコントローラ８の演算制御回路１０に受信される。
【００３４】
図１０は、表示部８ｂ１に表示されるレンズ枠ＬＦ，ＲＦの断面の厚さｔ及びレンズＭＬの処方値に基づく眼鏡レンズＭＬ，ＭＲの上縁部の断面の厚さＴの表示例を示したものである。
【００３５】
図１１は、表示部８ｂ１に表示されるレンズ枠ＬＦ，ＲＦの断面の厚さｔ及びレンズＭＬの処方値に基づく眼鏡レンズＭＬ，ＭＲの下縁部の断面の厚さＴの表示例を示したものである。
【００３６】
この構成によれば、メガネフレームのレンズ枠ＬＦ，ＲＦの任意のフレーム縁位置でどれだけレンズ部がはみ出すかを事前に図（画像）と数値により確認することができる。
【００３７】
以上説明したように、この発明の実施の形態の自覚式検眼装置１は、検眼ユニット（６Ｌ，６Ｒ）及び視標呈示装置９を操作するコントローラ８の操作内容を画像表示させる表示部（液晶表示器８ｂ）を備えている。また、自覚式検眼装置１は、玉型形状測定装置１２で測定されたメガネの玉型形状の測定データを受信する受信手段を備えている。しかも、前記コントローラ８は前記受信手段で受信された測定データに基づく玉型の形状（レンズ枠形状、レンズ形状、レンズ断面形状等）を前記表示部（液晶表示器８ｂ）に表示させるようになっている。尚、表示部（液晶表示器８ｂ）は、コントローラ８に設けられているが、コントローラ８と別体に設けることもできる。
【００３８】
この構成によれば、コントローラ８は前記受信手段で受信された測定データに基づく玉型形状を前記表示部（液晶表示器８ｂ）に表示させるようになっているので、処方値を求める際に玉型形状を表示部（液晶表示器８ｂ）に表示させることで、例えば選択したメガネの玉型形状で累進レンズを作ることが可能であるか否かをコンサルティングできる。また、或いは玉型形状とレンズの屈折度数等の処方値に基づいてレンズの断面形状を表示させた場合には、コバ厚が気になるか否か等の聞き取りを行うこともできる。これらの場合には、処方値若しくはレンズを僅かに変更することで、顧客の満足を得ることも考えられる。従って、このような場合には、選択されたメガネフレームの玉型の形状等は最終的な眼鏡レンズの処方値を求めるのに有効に利用できる。
【００３９】
また、この発明の実施の形態の自覚式検眼装置１において、前記コントローラ８は、レンズ材質及び屈折度数に基づく眼鏡レンズの厚さ形状データが記録されている情報記録再生手段（情報・記録再生装置１４）から、前記処方値に基づく屈折度数の前記眼鏡レンズの厚さ形状データを前記レンズ材質毎にそれぞれ読み出して、この読み出した前記眼鏡レンズの厚さ形状データに基づいて前記眼鏡レンズの断面形状を前記レンズ材質毎に表示部（液晶表示器８ｂ）に表示させるようになっている。
【００４０】
この構成によれば、測定データに基づく玉型形状，処方値によるレンズの屈折度数及びレンズ材質等に基づいてレンズ厚さを表示させることで、コバ厚が気になるか否か等の聞き取りを行うこともできる。この場合には、処方値を僅かに変更するか、レンズ材質を変更することで、顧客の満足を得ることも考えられる。従って、このような場合には、選択されたメガネフレームの玉型の形状等は最終的な眼鏡レンズの処方値を求めるのに有効に利用できる。
【００４１】
また、この発明の実施の形態の自覚式検眼装置１において、前記コントローラ８は、前記眼鏡レンズの光軸と平行で径の異なる複数の半径位置線又は直径位置線を前記眼鏡レンズの断面形状に重ねて表示部（液晶表示器８ｂ）に表示させるようになっている。
【００４２】
この構成によれば、簡単な表示で処方値に基づくコバ厚を知ることができる。
【００４３】
更に、この発明の実施の形態の自覚式検眼装置１において、前記測定データは前記メガネの左右の玉型形状データ及び該玉型形状データに基づく左右の玉型形状の幾何学中心間距離ＦＰＤであると共に、前記コントローラ８、前記左右の検眼ユニット６Ｌ，６Ｒの距離から被検者の瞳孔中心間距離ＰＤを求めて、この瞳孔中心間距離ＰＤと前記幾何学中心間距離ＦＰＤから前記玉型形状の幾何学中心ＧＬ，ＧＲに対する光軸位置（瞳孔中心ＯＬ，ＯＲの位置、即ち眼鏡レンズの光学中心位置）を求めて、この求めた光軸位置（瞳孔中心ＯＬ，ＯＲの位置、即ち眼鏡レンズの光学中心位置）から前記玉型形状の任意の縁部を前記眼鏡レンズの断面形状に重ねて表示部（液晶表示器８ｂ）に表示させるようになっている。
【００４４】
この構成によれば、眼鏡レンズの縦横のコバ厚を簡単な表示で知ることができる。
【００４５】
また、この発明の実施の形態の自覚式検眼装置において、前記縁部の表示は、同時に厚み情報としても前記表示部に表示させるようになっている。
【００４６】
この構成によれば、任意のフレーム縁位置でどれだけレンズ部がはみ出すかを事前に図（画像）と数値により確認することができる。
【図面の簡単な説明】
【００４７】
【図１】この発明にかかる自覚式検眼装置の概略斜視図である。
【図２】図１のコントローラ内の演算制御回路とこれに接続された装置の関係を示す回路図である。
【図３】図１のコントローラの表示部に表示されるレンズの断面形状の一例を示す説明図である。
【図４】図２の玉型形状測定装置で測定されるメガネの左右の玉型形状の幾何学中心間距離と被検者の瞳孔中心間距離との関係を示す説明図である。
【図５】図４の玉型形状とレンズの屈折度数の処方値に基づくレンズの縦断面形状とを重ねて示した説明図である。
【図６】図４の玉型形状とレンズの屈折度数の処方値に基づくレンズの縦断面形状とを重ねて示した説明図である。
【図７】図４の玉型形状とレンズの屈折度数の処方値に基づくレンズの横断面形状とを重ねて示した説明図である。
【図８】図４の玉型形状とレンズの屈折度数の処方値に基づくレンズの横断面形状とを重ねて示した説明図である。
【図９】図１のコントローラの液晶表示器（表示部）への他の表示例を示す説明図である。
【図１０】図９のコントローラの液晶表示器（表示部）への表示例を示す説明図である。
【図１１】図９のコントローラの液晶表示器（表示部）への他の表示例を示す説明図である。
【符号の説明】
【００４８】
１・・・自覚式検眼装置
６Ｌ，６Ｒ・・・検眼ユニット
７Ｌ，７Ｒ・・・検眼窓
８・・・コントローラ
８ａ・・・液晶表示器（表示部）
９・・・視標呈示装置
１０・・・演算制御回路
１２・・・玉型形状測定装置
１４・・・情報記録・再生装置（情報記録再生手段）
ＦＰＤ・・・幾何学中心間距離
ＰＤ・・・瞳孔中心間距離
ＧＬ，ＧＲ・・・幾何学中心
ＯＬ，ＯＲ・・・瞳孔中心
【図１】
2008272029.tif 000003
【図２】
2008272029.tif 000004
【図３】
2008272029.tif 000005
【図４】
2008272029.tif 000006
【図５】
2008272029.tif 000007
【図６】
2008272029.tif 000008
【図７】
2008272029.tif 000009
【図８】
2008272029.tif 000010
【図９】
2008272029.tif 000011
【図１０】
2008272029.tif 000012
【図１１】
2008272029.tif 000013